(57)【要約】【課題】基地局装置と端末装置が、効率的に通信する。【解決手段】基地局装置と通信する端末装置であって、第１の参照信号と、第２の参照信号と、物理上りリンク共有チャネルを送信する送信部と、第１の情報を受信し、物理下りリンク制御チャネルを受信する受信部と、を備え、前記物理上りリンク共有チャネルは、前記下りリンク制御チャネルにより受信された下りリンク制御情報に基づいて送信され、前記第１の参照信号は、前記下りリンク制御情報に基づいて決定されるリソースブロック内の一部リソースエレメントに常に配置され、前記第１の情報は、前記基地局装置によって前記第２の参照信号を送信するか否かを指示される情報であり、前記第２の参照信号は、前記第１の情報に基づいてリソースエレメントにマップされるか否かが決定され、前記第２の参照信号を配置するリソースエレメントの数は、前記下りリンク制御情報に基づいて決定される割り当てられたリソースブロック数に基づいて決定される。【選択図】図１
2020057827.tif 000002
【特許請求の範囲】
【請求項１】
基地局装置と通信する端末装置であって、
第１の参照信号と、第２の参照信号と、物理上りリンク共有チャネルを送信する送信部と、
第１の情報を受信し、物理下りリンク制御チャネルを受信する受信部と、
を備え、
前記物理上りリンク共有チャネルは、前記下りリンク制御チャネルにより受信された下りリンク制御情報に基づいて送信され、
前記第１の参照信号は、前記下りリンク制御情報に基づいて決定されるリソースブロック内の一部リソースエレメントに常に配置され、
前記第１の情報は、前記基地局装置によって前記第２の参照信号を送信するか否かを指示される情報であり、
前記第２の参照信号は、前記第１の情報に基づいてリソースエレメントにマップされるか否かが決定され、
前記第２の参照信号を配置するリソースエレメントの数は、前記下りリンク制御情報に基づいて決定される割り当てられたリソースブロック数に基づいて決定される、
端末装置。
【請求項２】
前記送信部は、
第２の情報を更に送信し、
前記第２の情報は、前記第２の参照信号を送信する能力を有するか否か示す情報である、
請求項１記載の端末装置。
【請求項３】
前記第２の参照信号は、予め定義された複数のパターンから選択される、
請求項１記載の端末装置。
【請求項４】
前記第２の参照信号は、時間方向と周波数方向でそれぞれ設定される、
請求項１記載の端末装置。
【請求項５】
前記下りリンク制御情報は、前記第２の参照信号のパターンを示す情報が含まれる、
請求項１記載の端末装置。
【請求項６】
端末装置と通信する基地局装置であって、
物理下りリンク制御チャネルで第１の情報を送信する送信部と、
第１の参照信号と、第２の参照信号と、物理上りリンク共有チャネルを受信する受信部と、
を備え、
前記第１の参照信号は、前記下りリンク制御情報に基づいて決定されるリソースブロック内の一部リソースエレメントに常に配置され、
前記第１の情報は、前記端末装置に前記第２の参照信号を送信するか否かを指示する情報であり、
前記第２の参照信号は、前記第１の情報に基づいてリソースエレメントにマップされるか否かが決定され、
前記第２の参照信号を配置するリソースエレメントの数は、前記下りリンク制御情報に基づいて決定される割り当てられたリソースブロック数に基づいて決定される、
基地局装置。
【発明の詳細な説明】
【技術分野】
【０００１】
本発明は、基地局装置、端末装置、通信方法、および、集積回路に関する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、LTE（Long Term Evolution）-Advanced Pro及びNR（New Radio technology）の技術検討及び規格策定が行われている（非特許文献１）。
【０００３】
第５世代のセルラーシステムでは、高速・大容量伝送を実現するeMBB（enhanced Mobile BroadBand）、低遅延・高信頼通信を実現するURLLC（Ultra-Reliable and Low Latency
Communication）、IoT（Internet of Things）などマシン型デバイスが多数接続するmMTC（massive Machine Type Communication）の3つがサービスの想定シナリオとして要求されている。
【０００４】
NRでは、高い周波数で通信するために、オシレータにより発生する位相雑音をトラックするための参照信号が検討されている。（非特許文献２）。
【先行技術文献】
【非特許文献】
【０００５】
【非特許文献１】RP-161214, NTT DOCOMO, “Revision of SI: Study on New Radio Access Technology”, 2016年6月
【非特許文献２】R1-1701435, Mitsubishi Electric, CATT, InterDigital, Intel, Qualcomm, “WF on PT-RS for DFTsOFDM”, 2017年1月
【発明の概要】
【発明が解決しようとする課題】
【０００６】
本発明の目的は、上記のような無線通信システムにおいて、効率的に通信するための端末装置、基地局装置、通信方法、および、集積回路を提供することを目的とする。
【課題を解決するための手段】
【０００７】
（１）上記の目的を達成するために、本発明の態様は、以下のような手段を講じた。すなわち、本発明の一態様における端末装置は、基地局装置と通信する端末装置であって、第１の参照信号と、第２の参照信号と、物理上りリンク共有チャネルを送信する送信部と、第１の情報を受信し、物理下りリンク制御チャネルを受信する受信部と、を備え、前記物理上りリンク共有チャネルは、前記下りリンク制御チャネルにより受信された下りリンク制御情報に基づいて送信され、前記第１の参照信号は、前記下りリンク制御情報に基づいて決定されるリソースブロック内の一部リソースエレメントに常に配置され、前記第１の情報は、前記基地局装置によって前記第２の参照信号を送信するか否かを指示される情報であり、前記第２の参照信号は、前記第１の情報に基づいてリソースエレメントにマップされるか否かが決定され、前記第２の参照信号を配置するリソースエレメントの数は、前記下りリンク制御情報に基づいて決定される割り当てられたリソースブロック数に基づいて決定される。
【０００８】
（２）また、本発明の一態様における端末装置において、前記送信部は、第２の情報を更に送信し、前記第２の情報は、前記位相トラッキング用の参照信号を送信する能力を有するか否か示す情報である。
【０００９】
（３）また、本発明の一態様における端末装置において、前記第２の参照信号は、予め定義された複数のパターンから選択される。
【００１０】
（４）また、本発明の一態様における端末装置において、前記第２の参照信号は、前記第２の参照信号は、時間方向と周波数方向でそれぞれ設定される。
【００１１】
（５）また、本発明の一態様における端末装置において、前記第２の参照信号は、時間方向と周波数方向でそれぞれ設定される。
【００１２】
（６）また、本発明の一態様における基地局装置は、端末装置と通信する基地局装置であって、端末装置と通信する基地局装置であって、物理下りリンク制御チャネルで第１の情報を送信する送信部と、第１の参照信号と、第２の参照信号と、物理上りリンク共有チャネルを受信する受信部と、を備え、前記第１の参照信号は、前記下りリンク制御情報に基づいて決定されるリソースブロック内の一部リソースエレメントに常に配置され、前記第１の情報は、前記端末装置に前記第２の参照信号を送信するか否かを指示する情報であり、前記第２の参照信号は、前記第１の情報に基づいてリソースエレメントにマップされるか否かが決定され、前記第２の参照信号を配置するリソースエレメントの数は、前記下りリンク制御情報に基づいて決定される割り当てられたリソースブロック数に基づいて決定される。
【発明の効果】
【００１３】
この発明によれば、基地局装置と端末装置が、効率的に通信することができる。
【図面の簡単な説明】
【００１４】
【図１】本実施形態における無線通信システムの概念を示す図である。
【図２】本実施形態における上りリンクスロットの概略構成の一例を示す図である。
【図３】サブフレーム、スロット、ミニスロットの時間領域における関係を示した図である。
【図４】スロットまたはサブフレームの一例を示す図である。
【図５】ビームフォーミングの一例を示した図である。
【図６】１リソースエレメントにマップされるＰＴＲＳの第一の構成例を示す図である。
【図７】１リソースエレメントにマップされるＰＴＲＳの第二の構成例を示す図である。
【図８】本実施形態における端末装置１の構成を示す概略ブロック図である。
【図９】本実施形態における基地局装置３の構成を示す概略ブロック図である。
【図１０】本実施形態における基地局装置３と端末装置１の間の第一の処理の流れの概要を示す図である。
【図１１】本実施形態における基地局装置３と端末装置１の間の第二の処理の流れの概要を示す図である。
【図１２】本実施形態における基地局装置３と端末装置１の間の第三の処理の流れの概要を示す図である。
【発明を実施するための形態】
【００１５】
以下、本発明の実施形態について説明する。
【００１６】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１７】
端末装置１は、ユーザ端末、移動局装置、通信端末、移動機、端末、ＵＥ（User Equipment）、ＭＳ（Mobile Station）とも称される。基地局装置３は、無線基地局装置、基地局、無線基地局、固定局、ＮＢ（Node B）、ｅＮＢ（evolved Node B）、ＢＴＳ（Base Transceiver Station）、ＢＳ（Base Station）、ＮＲ  ＮＢ（NR Node B）、ＮＮＢ、Ｔ
ＲＰ（Transmission and Reception Point）、ｇＮＢとも称される。
【００１８】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００１９】
また、図１において、端末装置１と基地局装置３の間の無線通信では、ユニバーサルフィルタマルチキャリア（UFMC: Universal-Filtered Multi-Carrier）、フィルタＯＦＤＭ（F-OFDM: Filtered OFDM）、窓関数が乗算されたＯＦＤＭ（Windowed OFDM）、フィルタバンクマルチキャリア（FBMC: Filter-Bank Multi-Carrier）が用いられてもよい。
【００２０】
なお、本実施形態ではＯＦＤＭを伝送方式としてＯＦＤＭシンボルで説明するが、上述の他の伝送方式の場合を用いた場合も本発明に含まれる。
【００２１】
また、図１において、端末装置１と基地局装置３の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２２】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤM（DFT-S-OFDM: Discrete
Fourier Transform Spread OFDM）、マルチキャリア符号分割多重（MC-CDM: Multi-Carrier Code Division Multiplexing）が用いられてもよい。
【００２３】
図１において、端末装置１と基地局装置３の無線通信では、以下の物理チャネルが用いられる。
【００２４】
・ＰＢＣＨ（Physical Broadcast CHannel）
・ＰＣＣＨ（Physical Control CHannel）
・ＰＳＣＨ（Physical Shared CHannel）
【００２５】
ＰＢＣＨは、端末装置１が必要な重要なシステム情報を含む重要情報ブロック（MIB: Master Information Block、EIB: Essential Information Block、ＢＣＨ：Broadcast Channel）を報知するために用いられる。
【００２６】
ＰＣＣＨは、上りリンクの無線通信（端末装置１から基地局装置３の無線通信）の場合には、上りリンク制御情報（Uplink Control Information: UCI）を送信するために用い
られる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報
には、ＨＡＲＱ−ＡＣＫ（Hybrid Automatic Repeat request ACKnowledgement）が含ま
れてもよい。ＨＡＲＱ−ＡＣＫは、下りリンクデータ（Transport block, Medium Access
Control Protocol Data Unit: MAC PDU, Downlink-Shared Channel: DL-SCH）に対する
ＨＡＲＱ−ＡＣＫを示してもよい。
【００２７】
また、下りリンクの無線通信（基地局装置３から端末装置１への無線通信）の場合には、下りリンク制御情報（Downlink Control Information: DCI）を送信するために用いら
れる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００２８】
例えば、ＤＣＩとして、スケジューリングされたＰＳＣＨに含まれる信号が下りリンクの無線通信か上りリンクの無線通信か示す情報を含むＤＣＩが定義されてもよい。
【００２９】
例えば、ＤＣＩとして、スケジューリングされたＰＳＣＨに含まれる下りリンクの送信期間を示す情報を含むＤＣＩが定義されてもよい。
【００３０】
例えば、ＤＣＩとして、スケジューリングされたＰＳＣＨに含まれる上りリンクの送信期間を示す情報を含むＤＣＩが定義されてもよい。
【００３１】
例えば、ＤＣＩとして、スケジューリングされたＰＳＣＨに対するＨＡＲＱ−ＡＣＫを送信するタイミング（例えば、ＰＳＣＨに含まれる最後のシンボルからＨＡＲＱ−ＡＣＫ送信までのシンボル数）示す情報を含むＤＣＩが定義されてもよい。
【００３２】
例えば、ＤＣＩとして、スケジューリングされたＰＳＣＨに含まれる下りリンクの送信期間、ギャップ、及び上りリンクの送信期間を示す情報を含むＤＣＩが定義されてもよい。
【００３３】
例えば、ＤＣＩとして、１つのセルにおける１つの下りリンクの無線通信ＰＳＣＨ（１つの下りリンクトランスポートブロックの送信）のスケジューリングのために用いられるＤＣＩが定義されてもよい。
【００３４】
例えば、ＤＣＩとして、１つのセルにおける１つの上りリンクの無線通信ＰＳＣＨ（１つの上りリンクトランスポートブロックの送信）のスケジューリングのために用いられるＤＣＩが定義されてもよい。
【００３５】
ここで、ＤＣＩには、ＰＳＣＨに上りリンクまたは下りリンクが含まれる場合にＰＳＣＨのスケジューリングに関する情報が含まれる。ここで、下りリンクに対するＤＣＩを、下りリンクグラント（downlink grant）、または、下りリンクアサインメント（downlink
assignment）とも称する。ここで、上りリンクに対するＤＣＩを、上りリンクグラント
（uplink grant）、または、上りリンクアサインメント（Uplink assignment）とも称す
る。
【００３６】
ＰＳＣＨは、媒介アクセス（MAC: Medium Access Control）からの上りリンクデータ（UL-SCH: Uplink Shared CHannel）または下りリンクデータ（DL-SCH: Downlink Shared CHannel）の送信に用いられる。また、下りリンクの場合にはシステム情報（SI: System Information）やランダムアクセス応答（RAR: Random Access Response）などの送信にも
用いられる。上りリンクの場合には、上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを
送信するために用いられてもよい。
【００３７】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource
Control message、RRC information: Radio Resource Control informationとも称され
る）を送受信してもよい。また、基地局装置３と端末装置１は、ＭＡＣ（Medium Access Control）層において、ＭＡＣコントロールエレメントを送受信してもよい。ここで、Ｒ
ＲＣシグナリング、および／または、ＭＡＣコントロールエレメントを、上位層の信号（higher layer signaling）とも称する。
【００３８】
ＰＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、端末装置固有（
ＵＥスペシフィック）な情報は、ある端末装置１に対して専用のシグナリングを用いて送信されてもよい。ＰＳＣＨは、上りリンクに置いてＵＥの能力（UE Capability）の送信
に用いられてもよい。
【００３９】
なお、ＰＣＣＨおよびＰＳＣＨは下りリンクと上りリンクで同一の呼称を用いているが、下りリンクと上りリンクで異なるチャネルが定義されてもよい。
【００４０】
例えば、下りリンクの共有チャネルは、物理下りリンク共有チャネル（ＰＤＳＣＨ：Physical Downlink Shared CHannel）と称されてよい。また、上りリンクの共有チャネルは物理上りリンク共有チャネル（ＰＵＳＣＨ：Physical Uplink Shared CHannel）と称されてよい。また、下りリンクの制御チャネルは物理下りリンク制御チャネル（ＰＤＣＣＨ：Physical Downlink Control CHannel）と称されてよい。上りリンクの制御チャネルは物
理上りリンク制御チャネル（ＰＵＣＣＨ：Physical Uplink Control CHannel）と称され
てよい。
【００４１】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
【００４２】
同期信号は、プライマリ同期信号（ＰＳＳ：Primary Synchronization Signal）およびセカンダリ同期信号（ＳＳＳ）を含んでよい。ＰＳＳとＳＳＳを用いてセルＩＤが検出されてよい。
【００４３】
同期信号は、端末装置１が下りリンクの周波数領域および時間領域の同期をとるために用いられる。ここで、同期信号は、端末装置１が基地局装置３によるプリコーディングまたはビームフォーミングにおけるプリコーディングまたはビームの選択に用いられて良い。
【００４４】
参照信号は、端末装置１が物理チャネルの伝搬路補償を行うために用いられる。ここで、参照信号は、端末装置１が下りリンクのＣＳＩを算出するためにも用いられてよい。また、参照信号は、無線パラメータやサブキャリア間隔などのヌメロロジーやＦＦＴの窓同期などができる程度の細かい同期（Fine synchronization）に用いられて良い。
【００４５】
本実施形態において、以下の下りリンク参照信号のいずれか１つまたは複数が用いられる。
・ＤＭＲＳ（Demodulation Reference Signal）
・ＣＳＩ−ＲＳ（Channel State Information Reference Signal）
・ＰＴＲＳ（Phase Tracking Reference Signal）
・ＭＲＳ（Mobility Reference Signal）
【００４６】
ＤＭＲＳは、変調信号を復調するために使用される。なお、ＤＭＲＳには、ＰＢＣＨを復調するための参照信号と、ＰＳＣＨを復調するための参照信号の２種類が定義されてもよいし、両方をＤＭＲＳと称してもよい。ＣＳＩ−ＲＳは、チャネル状態情報（ＣＳＩ：Channel State Information）の測定およびビームマネジメントに使用される。ＰＴＲＳ
は、端末の移動等による位相のずれをトラックするために使用される。ＭＲＳは、ハンドオーバのための複数の基地局装置からの受信品質を測定するために使用されてよい。また、参照信号には、位相雑音を補償するための参照信号が定義されてもよい。
【００４７】
下りリンク物理チャネルおよび／または下りリンク物理シグナルを総称して、下りリンク信号と称する。上りリンク物理チャネルおよび／または上りリンク物理シグナルを総称して、上りリンク信号と称する。下りリンク物理チャネルおよび／または上りリンク物理チャネルを総称して、物理チャネルと称する。下りリンク物理シグナルおよび／または上りリンク物理シグナルを総称して、物理シグナルと称する。
【００４８】
ＢＣＨ、ＵＬ−ＳＣＨおよびＤＬ−ＳＣＨは、トランスポートチャネルである。媒体アクセス制御（ＭＡＣ：Medium Access Control）層で用いられるチャネルをトランスポー
トチャネルと称する。ＭＡＣ層で用いられるトランスポートチャネルの単位を、トランスポートブロック（ＴＢ：transport block）および／またはＭＡＣ  ＰＤＵ（Protocol Data Unit）とも称する。ＭＡＣ層においてトランスポートブロック毎にＨＡＲＱ（Hybrid Automatic Repeat reQuest）の制御が行われる。トランスポートブロックは、ＭＡＣ層が物理層に渡す（deliver）データの単位である。物理層において、トランスポートブロッ
クはコードワードにマップされ、コードワード毎に符号化処理が行われる。
【００４９】
また、参照信号は、無線リソース測定（ＲＲＭ：Radio Resource Measurement）に用いられてよい。また、参照信号は、ビームマネジメントに用いられてよい。
【００５０】
ビームマネジメントは、送信装置（下りリンクの場合は基地局装置３であり、上りリンクの場合は端末装置１である）におけるアナログおよび／またはディジタルビームと、受信装置（下りリンクの場合は端末装置１、上りリンクの場合は基地局装置３である）におけるアナログおよび／またはディジタルビームの指向性を合わせ、ビーム利得を獲得するための基地局装置３および／または端末装置１の手続きであってよい。
【００５１】
なお、ビームマネジメントには、下記の手続きを含んでよい。
・ビーム選択（Beam selection）
・ビーム改善（Beam refinement）
・ビームリカバリ（Beam recovery）
【００５２】
例えば、ビーム選択は、基地局装置３と端末装置１の間の通信においてビームを選択する手続きであってよい。また、ビーム改善は、さらに利得の高いビームの選択、あるいは端末装置１の移動によって最適な基地局装置３と端末装置１の間のビームの変更をする手続きであってよい。ビームリカバリは、基地局装置３と端末装置１の間の通信において遮蔽物や人の通過などにより生じるブロッケージにより通信リンクの品質が低下した際にビ
ームを再選択する手続きであってよい。
【００５３】
例えば、端末装置１における基地局装置３の送信ビームを選択する際にＣＳＩ−ＲＳを用いてもよいし、擬似同位置（ＱＣＬ：Quasi Co-Location）想定を用いてもよい。
【００５４】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００５５】
このＱＣＬは、ビームマネジメントにも拡張されうる。そのために、空間に拡張したＱＣＬが新たに定義されてもよい。例えば、空間のＱＣＬ想定におけるチャネルの長区間特性（Long term property）として、無線リンクあるいはチャネルにおける到来角（AoA（Angle of Arrival）, ZoA（Zenith angle of Arrival）など）および／または角度広がり
（Angle Spread、例えばASA（Angle Spread of Arrival）やZSA（Zenith angle Spread of Arrival））、送出角（AoD, ZoDなど）やその角度広がり（Angle Spread、例えばASD（Angle Spread of Departure）やZSS（Zenith angle Spread of Departure））、空間相関（Spatial Correlation）であってもよい。
【００５６】
この方法により、ビームマネジメントとして、空間のＱＣＬ想定と無線リソース（時間および／または周波数）によりビームマネジメントと等価な基地局装置３、端末装置１の動作が定義されてもよい。
【００５７】
以下、サブフレームについて説明する。本実施形態ではサブフレームと称するが、リソースユニット、無線フレーム、時間区間、時間間隔などと称されてもよい。
【００５８】
図２は、本発明の第１の実施形態に係る上りリンクスロットの概略構成の一例を示す図である。無線フレームのそれぞれは、１０ｍｓ長である。また、無線フレームのそれぞれは１０個のサブフレームおよびＸ個のスロットから構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図２は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。
【００５９】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００６０】
リソースブロックは、ある物理下りリンクチャネル（ＰＤＳＣＨなど）あるいは上りリンクチャネル（ＰＵＳＣＨなど）のリソースエレメントのマッピングを表現するために用
いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において12個の連続するサブキャリアとから定義される。つまり、１つの物理リソースブロックは、（7×12）個の
リソースエレメントから構成される。ＥＣＰ（Extended CP）の場合、１つの物理リソー
スブロックは、例えば、時間領域において６個の連続するOFDMシンボルと、周波数領域において12個の連続するサブキャリアとにより定義される。つまり、1つの物理リソースブ
ロックは、（6×12）個のリソースエレメントから構成される。このとき、1つの物理リソースブロックは、時間領域において１つのスロットに対応し、１５ｋＨｚのサブキャリア間隔の場合、周波数領域において１８０ｋＨｚ（６０ｋＨｚの場合には７２０ｋＨｚ）に対応する。物理リソースブロックは、周波数領域において０から番号が付けられている。
【００６１】
次に、サブフレーム、スロット、ミニスロットについて説明する。図３は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。そのため、スロット長は、サブキャリア間隔をΔｆ（ｋＨｚ）とすると、１スロットを構成するＯＦＤＭシンボル数が７の場合、スロット長は０．５／（Δｆ／１５）ｍｓで定義されてよい。ここで、Δｆはサブキャリア間隔（ｋＨｚ）で定義されてよい。また、１スロットを構成するＯＦＤＭシンボル数が７の場合、スロット長は１／（Δｆ／１５）ｍｓで定義されてよい。ここで、Δｆはサブキャリア間隔（ｋＨｚ）で定義されてよい。さらに、スロットに含まれるＯＦＤＭシンボル数をＸとしたときに、スロット長はＸ／１４／（Δｆ／１５）ｍｓで定義されてもよい。
【００６２】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。また、
【００６３】
図４は、スロットまたはサブフレームの一例を示す図である。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパート（デュレーション）
・ギャップ
・上りリンクパート（デュレーション）
のうち１つまたは複数を含んでよい。
【００６４】
図４（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図４（ｂ）は、最初の時間リソースで例えばＰＣＣHを介して上りリンクのスケジュ
ーリングを行い、ＰＣＣＨの処理遅延及び下りから上りの切り替え時間、送信信号の生成のためのギャップを介して上りリンク信号を送信する。図４（ｃ）は、最初の時間リソースで下りリンクのＰＣＣＨおよび／または下りリンクのＰＳＣＨの送信に用いられ、処理
遅延及び下りから上りの切り替え時間、送信信号の生成のためのギャップを介してＰＳＣＨまたはＰＣＣＨの送信に用いられる。ここで、一例としては、上りリンク信号はＨＡＲＱ−ＡＣＫおよび／またはＣＳＩ、すなわちＵＣＩの送信に用いられてよい。図４（ｄ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介して上りリンクのＰＳＣＨおよび／またはＰＣＣＨの送信に用いられる。ここで、一例としては、上りリンク信号は上りリンクデータ、すなわちＵＬ−ＳＣＨの送信に用いられてもよい。図４（ｅ）は、全て上りリンク送信（上りリンクのＰＳＣＨまたはＰＣＣＨ）に用いられている例である。
【００６５】
上述の下りリンクパート、上りリンクパートは、ＬＴＥと同様複数のＯＦＤＭシンボルで構成されてよい。
【００６６】
図５は、ビームフォーミングの一例を示した図である。複数のアンテナエレメントは１つの送信ユニット（TXRU: Transceiver unit）１０に接続され、アンテナエレメント毎の位相シフタ１１によって位相を制御し、アンテナエレメント１２から送信することで送信信号に対して任意の方向にビームを向けることができる。典型的には、ＴＸＲＵがアンテナポートとして定義されてよく、端末装置１においてはアンテナポートのみが定義されてよい。位相シフタ１１を制御することで任意の方向に指向性を向けることができるため、基地局装置３は端末装置１に対して利得の高いビームを用いて通信することができる。
【００６７】
図６は、１リソースエレメントにマップされるＰＴＲＳの第一の構成例を示す図である。図６において、斜線で塗りつぶされた箇所はＰＴＲＳがマップされるリソースエレメントであり、それ以外の箇所はデータがマップされるリソースエレメントである。図６において、図６−１から図６−９をそれぞれパターン１からパターン９と定義する。パターン１からパターン３は時間方向に連続してＰＴＲＳが配置される例、パターン４からパターン６は時間方向に１つおきにＰＴＲＳが配置される例、パターン７からパターン９は時間方向に２つおきに配置される例である。なお、ＰＴＲＳは、図６に限定されず、時間方向に２つ以上空けて配置されてもよいし、周波数方向の間隔およびサブキャリア位置についても図６に限定されない。また、ＰＴＲＳは、図６に示すパターンのうち１つのパターンが定義されてもよいし、複数のパターンが定義されてもよい。なお、図６のように予めＰＴＲＳの配置パターンが設定され、パターン番号に基づいてＰＴＲＳが生成されてもよいし、ＰＴＲＳが配置される位置を指定することによってＰＴＲＳが生成されてもよい。
【００６８】
図７は、１リソースエレメントにマップされるＰＴＲＳの第二の構成例を示す図である。図７において、斜線で塗りつぶされた箇所はＰＴＲＳがマップされるリソースエレメントであり、それ以外の箇所はデータがマップされるリソースエレメントである。図７において、図７−１をパターン１０と定義する。図７のパターン１０は、図６のパターン５と同じサブキャリア番号において、時間方向に１つおきにＰＴＲＳが配置される例であるが、上から４番目のサブキャリアにおけるＰＴＲＳの配置位置が異なる例である。
【００６９】
ここで、端末装置１は、ＰＴＲＳがマップされたリソースエレメントにＰＵＳＣＨの信号がマップされなくてもよい。つまり、ＰＵＳＣＨの信号がマップされない場合には、ＰＴＲＳがマップされたリソースエレメントがＰＵＳＣＨの信号を配置できるリソースエレメントとしないレートマッチが適用されてもよい。また、ＰＴＲＳがマップされたリソースエレメントにＰＵＳＣＨの信号を配置するが、ＰＴＲＳで上書きしてもよい。この場合、基地局装置３は、ＰＴＲＳが配置されたリソースエレメントにデータが配置されているとみなして復調処理をしてもよい。
【００７０】
ＰＴＲＳは、周波数バンドによって異なるＰＴＲＳが生成されてもよい。また、位相回
転の影響を受けにくい低い周波数バンドではＰＴＲＳがマップされるリソースエレメントの数を少なくし、位相回転の影響を受けやすい高い周波数バンドではＰＴＲＳがマップされるリソースエレメントの数を多くしてもよい。例えば、周波数バンドが４ＧＨｚの場合にはパターン７が設定され、周波数バンドが４０ＧＨｚの場合にはパターン２が設定される等、周波数バンド毎にＰＴＲＳを設定してもよい。例えば、周波数バンドが４ＧＨｚの場合にはパターン２が設定され、周波数バンドが４０ＧＨｚの場合にはパターン３が設定される等、周波数バンド毎にＰＴＲＳを設定してもよい。例えば、周波数バンドが４ＧＨｚの場合にはパターン５が設定され、周波数バンドが４０ＧＨｚの場合にはパターン２が設定される等、周波数バンド毎にＰＴＲＳを設定してもよい。このように、位相回転の影響を強く受けやすい高い周波数バンドにおいて、ＰＴＲＳがマップされるリソースエレメントの数を多くすることにより、位相トラッキングの性能を向上させることができる。また、位相回転の影響が比較的少ないと考えられる低い周波数バンドにおいて、ＰＴＲＳがマップされるリソースエレメントの数を少なくすることにより、位相トラッキングの性能を保ちつつ、ＰＴＲＳによるオーバヘッドを減らすことができる。なお、低い周波数バンドのうち、位相回転の影響が問題とならない周波数バンドにおいては、ＰＴＲＳをマップしなくてもよい。
【００７１】
ここで、ＰＴＲＳのパターンを設定する場合、端末装置１は、スケジューリング帯域幅に応じて周波数方向のＰＴＲＳの数を増やしてよい。例えば、１リソースブロック内の５番目のサブキャリアにＰＴＲＳがマップされる場合、スケジューリング、すなわち、物理下りリンク制御チャネルで送信される下りリンク制御情報（ＤＣＩ：Downlink Control Information）に基づいて割り当てられたリソースブロック数に比例して周波数軸のＰＴＲＳが含まれるサブキャリア数が増えてもよい。また、リソースブロック内の周波数軸のＰＴＲＳが含まれるサブキャリア数は、周波数バンドによって決定されてもよい。また、周波数方向のＰＴＲＳの密度に関してはＲＲＣやＭＡＣ  ＣＥ、ＤＣＩにより設定または活性化または指示されてもよい。周波数軸のＰＴＲＳの密度は、リソースブロック内に含まれるＰＴＲＳが含まれるリソースエレメント数、またはサブキャリア数により定義されてよい。
【００７２】
また、時間方向のＰＴＲＳの密度に関しては周波数バンドによって決定されてよい。例えば、周波数バンドが４ＧＨｚの場合には、パターン７に基づいてＰＴＲＳを送信し、３０ＧＨｚの場合には、パターン１で送信してもよい。例えば、周波数バンドが４ＧＨｚの場合には、パターン９に基づいてＰＴＲＳを送信し、３０ＧＨｚの場合には、パターン６で送信してもよい。また、時間方向のＰＴＲＳの密度に関してはＲＲＣやＭＡＣ、ＤＣＩにより設定または活性化または指示されてもよい。時間軸の密度は、リソースブロック内に含まれるＰＴＲＳが含まれるリソースエレメント数、またはスロット内のＯＦＤＭシンボル数、またはサブフレーム内のＯＦＤＭシンボル数により定義されてよい。
【００７３】
ＰＴＲＳは、ＭＣＳや変調方式によって異なるＰＴＲＳが生成されてもよい。変調多値数が高い場合にＰＴＲＳがマップされるリソースエレメントの数を多くし、変調多値数が低い場合にＰＴＲＳがマップされるリソースエレメントの数を少なくしてもよい。例えば、変調方式が２５６ＱＡＭの場合にパターン３が設定され、変調方式が１６ＱＡＭの場合にパターン１が設定される等、変調方式毎にＰＴＲＳを設定してもよい。例えば、変調方式が２５６ＱＡＭの場合にパターン１が設定され、変調方式が１６ＱＡＭの場合にパターン４が設定される等、変調方式毎にＰＴＲＳを設定してもよい。このように、変調多値数が高い場合にＰＴＲＳがマップされるリソースエレメントの数を多くすることにより、位相トラッキングの性能を向上させることができる。また、変調多値数が低い場合にＰＴＲＳの数を少なくすることにより、位相トラッキングの性能を保ちつつ、ＰＴＲＳによるオーバヘッドを減らすことができる。なお、変調多値数が低く、位相回転の影響が問題とならないと考えられる場合は、ＰＴＲＳをマップしなくてもよい。
【００７４】
ＰＴＲＳは、無線伝送方式毎に設定されてもよい。無線伝送方式がＤＦＴＳ−ＯＦＤＭの場合とＣＰ−ＯＦＤＭの場合とで、ＰＴＲＳがマップされるリソースエレメントの数が同じになるように設定されてもよいし、異なる数となるように設定されてもよい。例えば、ＤＦＴＳ−ＯＦＤＭの場合とＣＰ−ＯＦＤＭの場合とで同じパターンが選択されてもよい。また、ＤＦＴＳ−ＯＦＤＭの場合にパターン１が設定され、ＣＰ−ＯＦＤＭの場合にパターン１０が設定されてもよく、パターンは異なるが、ＰＴＲＳの数が同じ数になるようにしてもよい。このように、ＤＦＴＳ−ＯＦＤＭの場合のＰＴＲＳがマップされるリソースエレメントの数とＣＰ−ＯＦＤＭの場合のＰＴＲＳがマップされるリソースエレメントの数とを同じにすることにより、ＰＴＲＳを生成するための処理負担を同等にすることができる。また、ＤＦＴＳ−ＯＦＤＭの場合のＰＴＲＳの数は、ＣＰ−ＯＦＤＭの場合のＰＴＲＳの数よりも多くなるように設定されてもよい。例えば、ＤＦＴＳ−ＯＦＤＭの場合にパターン２が設定され、ＣＰ−ＯＦＤＭの場合にパターン１が設定されてもよいし、ＤＦＴＳ−ＯＦＤＭの場合にパターン１が設定され、ＣＰ−ＯＦＤＭの場合にパターン４が設定されてもよい。このように、ＤＦＴＳ−ＯＦＤＭの場合のＰＴＲＳがマップされるリソースエレメントの数とＣＰ−ＯＦＤＭの場合のＰＴＲＳがマップされるリソースエレメントの数とを異なる数に設定することにより、伝送方式の特性に適した位相トラッキングを設定することができる。
【００７５】
ＤＦＴＳ−ＯＦＤＭの場合、ＰＴＲＳシンボルをＤＦＴに入力する前の特定の時間位置に挿入してもよい。例えば、周波数ファーストでリソースエレメントにマッピングされ、スケジューリングされたＰＲＢ数が４（＝６０変調シンボル）の場合、各ＤＦＴＳ−ＯＦＤＭシンボルを生成する際のＤＦＴに入力する時間シンボルの６、１８（＝１２＋６）、３０（１２＊２＋６）、４２（１２＊３＋６）番目のシンボルにＰＴＲＳとしてＤＦＴ拡散してよい。また、時間ファーストでリソースエレメントにマッピングされ、最初のＸシンボルにＰＴＲＳを挿入してＤＦＴ拡散してよい。スロット内の特定のＤＦＴＳ−ＯＦＤＭシンボル内のＸシンボルにＰＴＲＳを挿入してＤＦＴ拡散してよい。Ｘはスロット内に含まれるＤＦＴＳ−ＯＦＤＭシンボル数でもよい。また、ＤＦＴの前の特定のパターンでＰＴＲＳシンボルがマップされてもよい。また、ＤＦＴ拡散の後に、ＰＴＲＳを時間および／または周波数に配置してもよい。
【００７６】
ＰＴＲＳは、端末装置の移動速度を考慮して設定されてもよい。移動速度が高速の場合にはＰＴＲＳがマップされるリソースエレメントの数を多くし、移動速度が低速の場合にはＰＴＲＳがマップされるリソースエレメントの数を少なくしてもよい。例えば、移動速度が高速の場合にパターン３が設定され、移動速度が低速の場合にパターン７が設定される等、移動速度を考慮してＰＴＲＳを設定してもよい。例えば、移動速度が高速の場合にパターン３が設定され、移動速度が低速の場合にパターン１が設定される等、移動速度を考慮してＰＴＲＳを設定してもよい。例えば、移動速度が高速の場合にパターン２が設定され、移動速度が低速の場合にパターン８が設定される等、移動速度を考慮してＰＴＲＳを設定してもよい。これにより、移動速度を考慮して適切に位相トラッキングを行うことができる。
【００７７】
なお、ＰＴＲＳは、複数の条件を用いて設定されてもよい。複数の条件とは、周波数バンド、スケジューリング帯域幅、ＭＣＳや変調方式、無線伝送方式および／または端末装置の移動速度等から１つまたは複数選択されてもよい。例えば、ＰＴＲＳは、無線伝送方式および周波数バンドに基づいて設定されてもよいし、無線伝送方式、周波数バンドおよび変調方式に基づいて設定されてもよい。なお、無線伝送方式毎にＰＴＲＳのパターンを定義してもよい。例えば、ＤＦＴＳ−ＯＦＤＭの場合、ＰＴＲＳのパターンはパターン１、パターン２およびパターン３が定義され、ＣＰ−ＯＦＤＭの場合、ＰＴＲＳのパターンはパターン４、パターン５、パターン６が定義されてもよい。そして、４０ＧＨｚの周波
数バンドにおいてＤＦＴＳ−ＯＦＤＭ方式で伝送を行う場合、ＰＴＲＳは周波数バンドに基づいて、パターン１、パターン２およびパターン３から選択されてもよい。また、ＤＦＴＳ−ＯＦＤＭの場合は、周波数位置が下から３番目のサブキャリアにＰＴＲＳが配置されるパターン（例えば、パターン１、パターン４およびパターン６）が定義され、ＣＰ−ＯＦＤＭの場合は、周波数位置が下から５番目のサブキャリアにＰＴＲＳが配置されるパターンとなるように定義されてもよい。
【００７８】
なお、基地局装置３および端末装置１は、ＰＴＲＳのパターンとパターン番号を予め保持してもよい。さらに、基地局装置３は、端末装置１に対して、参照信号パターン情報としてＰＴＲＳのパターン番号を送信してもよい。端末装置１は、予め保持されたＰＴＲＳパターンと、基地局装置１から通知された参照信号パターン情報とを用いて、ＰＴＲＳを生成してもよい。ここで、参照信号パターン情報は、あらかじめ定義されたＰＴＲＳのパターン番号を示す情報である。
【００７９】
また、基地局装置３は、端末装置１に対して、参照信号配置情報を送信してもよい。ここで、参照信号配置情報は、ＰＴＲＳが配置される位置を示す情報である。例えば、参照信号配置情報は、ＰＴＲＳが配置されるサブキャリア間隔（例えば、連続、１サブキャリアおき、２サブキャリアおき等）でもよいし、ＰＴＲＳが配置されるサブキャリア番号でもよいし、ＰＴＲＳが配置される時間方向のシンボル間隔（例えば、連続、１シンボルおき、２シンボルおき等）でもよいし、ＰＴＲＳが配置される時間方向のシンボル位置でもよいし、これらの組み合わせでもよい。例えば、参照信号配置情報を、周波数方向の情報としてサブキャリア番号３、時間方向の情報として連続、と設定した場合、図６のパターン１となる。このとき、基地局装置３は端末装置１に対して、参照信号配置情報として、周波数方向の情報および時間方向の情報を通知する。なお、例えば、周波数方向の情報が予め決まっている場合は時間方向の情報のみを通知してもよいし、時間方向の情報が決まっている場合は周波数方向の情報のみを通知してもよい。
【００８０】
図１０は、本実施形態における基地局装置３と端末装置１の間の第一の処理の流れの概要を示す図である。図１０では、基地局装置３がＰＴＲＳの配置およびＰＴＲＳの有無を決定し、端末装置１に対してそれらを指示する。ここでは、主にＰＴＲＳの生成に関わる処理について説明する。
【００８１】
Ｓ１０１において、端末装置１は、アップリンク伝送を行う。このとき、端末装置１は、ＵＥ  Ｃａｐａｂｉｌｉｔｙ（端末能力情報）に位相トラッキング能力情報を含めて、基地局装置３に送信してもよい。位相トラッキング能力情報は、端末装置１がＰＴＲＳを送信する能力を有するか否か示す情報である。例えば、位相トラッキング能力情報は、端末装置１がＰＴＲＳをマッピングする機能を有するか否かを示す情報でもよいし、ＮＲに対応する機能を有するか否かを示す情報でもよい。また、端末装置１は、位相雑音を除去するか否かを判断し、その結果を考慮して位相トラッキング能力情報を決定してもよい。例えば、端末装置１が高速移動中である場合、端末装置１が位相雑音を除去するために、位相トラッキング能力情報は、ＰＴＲＳをマッピングする能力を有するよう設定される。
【００８２】
Ｓ１０２において、基地局装置３は、位相トラッキング指示情報を設定し、ＤＣＩに位相トラッキング指示情報を含めてもよい。ここで、位相トラッキング指示情報は、基地局装置３が端末装置１に対して、ＰＴＲＳを送信するか否かを指示するための情報である。なお、基地局装置３は、端末装置１から通知された位相トラッキング能力情報に基づいて、位相トラッキング指示情報を設定してもよい。例えば、位相トラッキング能力情報がＰＴＲＳをマッピングする能力を有する旨を示す場合のみ、位相トラッキング指示情報は、ＰＴＲＳを送信するよう設定されてもよい。
【００８３】
Ｓ１０３において、基地局装置３は、参照信号配置情報または参照信号パターン情報を設定する。また、基地局装置３は、ＤＣＩに参照信号配置情報または参照信号パターン情報を含めてもよい。
【００８４】
Ｓ１０４において、基地局装置３は、ダウンリンク伝送を行う。このとき、Ｓ１０２およびＳ１０３で設定された情報は、端末装置１に送信される。
【００８５】
Ｓ１０５において、端末装置１は、位相トラッキング指示情報を判定する。位相トラッキング指示情報にＰＴＲＳを送信するよう設定されている場合は、Ｓ１０６においてリソースエレメントにＰＴＲＳをマッピングする。一方、位相トラッキング指示情報にＰＴＲＳを送信するよう設定されていない場合は、リソースエレメントにＰＴＲＳをマッピングしない。
【００８６】
Ｓ１０６において、端末装置１は、ＤＣＩに含まれる情報等に基づいてＰＴＲＳを生成し、ＰＴＲＳをリソースエレメントにマッピングする。また、ＤＣＩに含まれる情報以外に、端末装置が保持している情報が用いられてもよい。例えば、参照信号配置情報または参照信号パターン情報、ＭＣＳ、変調方式、周波数バンド、無線伝送方式、端末装置１の移動速度および／または端末装置１に割り当てられたリソースブロック数に関する情報等から１つまたは複数を用いてもよい。
【００８７】
Ｓ１０７において、端末装置１は、アップリンク伝送を行う。
【００８８】
図１１は、本実施形態における基地局装置３と端末装置１の間の第二の処理の流れの概要を示す図である。図１１では、基地局装置３が端末装置１に対してＰＴＲＳの有無のみを指示する。基地局装置３と端末装置１は、ＰＴＲＳの設定ルールを予め設定しておき、端末装置１は、保持する情報に基づいてＰＴＲＳを生成し、リソースエレメントにマッピングする。なお、図１１において、図１０と同じ符号の処理については、図１０と同様な処理を行う。以下では、主に図１０と異なる点を説明する。
【００８９】
Ｓ２０１において、端末装置１は、位相トラッキング指示情報を判定する。位相トラッキング指示情報にＰＴＲＳを送信するよう設定されている場合は、Ｓ２０２においてリソースエレメントにＰＴＲＳをマッピングする。一方、位相トラッキング指示情報にＰＴＲＳを送信するよう設定されていない場合は、リソースエレメントにＰＴＲＳをマッピングしない。
【００９０】
Ｓ２０２において、端末装置１は、予め設定された設定ルールに基づいてＰＴＲＳを生成し、ＰＴＲＳをリソースエレメントにマッピングする。ここで、設定ルールは、ＤＣＩに含まれる情報等に基づいて決定されてもよいし、端末装置１が保持している情報に基づいて決定されてもよい。例えば、ＭＣＳ、変調方式、周波数バンド、無線伝送方式、端末装置１の移動速度および／または端末装置１に割り当てられたリソースブロック数に関する情報等から１つまたは複数を用いてもよい。
【００９１】
図１２は、本実施形態における基地局装置３と端末装置１の間の第三の処理の流れの概要を示す図である。図１２では、基地局装置３はＰＴＲＳの有無に関する指示を行わない。また、基地局装置３と端末装置１は、ＰＴＲＳの設定ルールを予め決定しておき、端末装置１は、保持する情報に基づいてＰＴＲＳを生成し、ＰＴＲＳをリソースエレメントにマッピングする。なお、図１２において、図１０または図１１と同じ符号の処理については、図１０または図１１と同様な処理を行う。以下では、主に図１０および図１１と異なる点を説明する。
【００９２】
Ｓ３０１において、基地局装置３は、ダウンリンク伝送を行う。このとき、位相トラッキング指示情報は送信されない。なお、参照信号配置情報または参照信号パターン情報は、送信されてもよいし、送信されなくてもよい。
【００９３】
Ｓ３０２において、端末装置１は、予め設定された設定ルールに基づいて、ＰＴＲＳを生成し、リソースエレメントにマッピングする。ここで、設定ルールは、ＤＣＩに含まれる情報等に基づいて決定されてもよく、端末装置１が保持している情報に基づいて決定されてもよい。例えば、周波数バンド、ＭＣＳ、変調方式、無線伝送方式、端末装置１の移動速度および／または端末装置１に割り当てられたリソースブロック数に関する情報等、端末装置１が保持している情報を用いてもよい。なお、設定ルールにはＰＴＲＳを生成しない条件があってもよく、例えば、位相回転の影響が問題にならない場合等においては、ＰＴＲＳを生成しなくてもよい。また、例えば、基地局装置３から参照信号パターン情報が送信された場合は、位相トラッキング指示があると判断し、参照信号パターン情報に示されるＰＴＲＳを生成してもよい。
【００９４】
なお、図１０、図１１および図１２において、端末装置１は、ＤＭＲＳの少なくともいずれか１つのポートとＰＴＲＳを送信するアンテナポートは同じであってよい。例えば、ＤＭＲＳのアンテナポート数が２、ＰＴＲＳのアンテナポート数が１の場合、ＤＭＲＳのアンテナポートのうち、いずれか一方のアンテナポートとＰＴＲＳのアンテナポートが同じであってもよいし、両方同じであってもよい。また、ＤＭＲＳとＰＴＲＳのアンテナポートは、ＱＣＬが想定されてもよい。例えば、ＤＭＲＳの位相雑音による周波数オフセットは、ＰＴＲＳで補償される周波数オフセットから推論される。また、ＰＴＲＳがマップされるかどうかに関わらず、常にＤＭＲＳは送信されてよい。
【００９５】
なお、無線伝送方式は、ＲＲＣやＭＡＣ、ＤＣＩにより設定または活性化または指示されてもよい。これにより、端末装置１は、基地局装置３から通知された無線伝送方式を考慮してＰＴＲＳをマップしてもよい。
【００９６】
本実施形態の一態様は、ＬＴＥやＬＴＥ−Ａ／ＬＴＥ−Ａ  Ｐｒｏといった無線アクセス技術（RAT: Radio Access Technology）とのキャリアアグリゲーションまたはデュアルコネクティビティにおいてオペレーションされてもよい。このとき、一部またはすべてのセルまたはセルグループ、キャリアまたはキャリアグループ（例えば、プライマリセル（PCell: Primary Cell）、セカンダリセル（SCell: Secondary Cell）、プライマリセカンダリセル（PSCell）、ＭＣＧ（Master Cell Group）、ＳＣＧ（Secondary Cell Group）
など）で用いられてもよい。また、単独でオペレーションするスタンドアローンで用いられてもよい。
【００９７】
以下、本実施形態における装置の構成について説明する。ここでは、下りリンクの無線伝送方式として、ＣＰ−ＯＦＤＭ、上りリンクの無線伝送方式としてＣＰ  ＤＦＴＳ−ＯＦＤＭ（ＳＣ−ＦＤＭ）を適用する場合の例を示している。
【００９８】
図８は、本実施形態の端末装置１の構成を示す概略ブロック図である。図示するように、端末装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３、および、チャネル状態情報（ＣＳＩ）報告制御部１０１５を含んで構成される。また、受信部１０５は、復号化部１０５１、復調部１０５３、多重分離部１０５５、無線受信部１０５７と測定部１０５９を含んで構成される。また、送信部１０７は、符号化部１０７１、変調部１０７３、多重部１０７５、無線送信部１０７７と上りリンク参照信号生成部１０７９を含んで構成される。
【００９９】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層
、無線リソース制御（Radio Resource Control: RRC）層の処理を行う。
【０１００】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【０１０１】
上位層処理部１０１が備えるスケジューリング情報解釈部１０１３は、受信部１０５を介して受信したＤＣＩ（スケジューリング情報）の解釈をし、前記ＤＣＩを解釈した結果に基づき、受信部１０５、および送信部１０７の制御を行うために制御情報を生成し、制御部１０３に出力する。
【０１０２】
ＣＳＩ報告制御部１０１５は、測定部１０５９に、ＣＳＩ参照リソースに関連するチャネル状態情報（ＲＩ／ＰＭＩ／ＣＱＩ／ＣＲＩ）を導き出すよう指示する。ＣＳＩ報告制御部１０１５は、送信部１０７に、ＲＩ／ＰＭＩ／ＣＱＩ／ＣＲＩを送信するよう指示をする。ＣＳＩ報告制御部１０１５は、測定部１０５９がＣＱＩを算出する際に用いる設定をセットする。
【０１０３】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。
【０１０４】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１０５】
無線受信部１０５７は、送受信アンテナ１０９を介して受信した下りリンクの信号を、中間周波数に変換し（ダウンコンバート: down covert）、不要な周波数成分を除去し、
信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出す
る。
【０１０６】
多重分離部１０５５は、抽出した信号を下りリンクのＰＣＣＨ、ＰＳＣＨ、および下りリンク参照信号に、それぞれ分離する。また、多重分離部１０５５は、測定部１０５９から入力された伝搬路の推定値から、ＰＣＣＨおよびＰＳＣＨの伝搬路の補償を行う。また、多重分離部１０５５は、分離した下りリンク参照信号を測定部１０５９に出力する。
【０１０７】
復調部１０５３は、下りリンクのＰＣＣＨに対して、復調を行い、復号化部１０５１へ出力する。復号化部１０５１は、ＰＣＣＨの復号を試み、復号に成功した場合、復号した下りリンク制御情報と下りリンク制御情報が対応するＲＮＴＩとを上位層処理部１０１に出力する。
【０１０８】
復調部１０５３は、ＰＳＣＨに対して、ＱＰＳＫ（Quadrature Phase Shift Keying）
、１６ＱＡＭ（Quadrature Amplitude Modulation）、６４ＱＡＭ、２５６ＱＡＭ等の下
りリンクグラントで通知された変調方式の復調を行い、復号化部１０５１へ出力する。復号化部１０５１は、下りリンク制御情報で通知された伝送または原符号化率に関する情報に基づいて復号を行い、復号した下りリンクデータ（トランスポートブロック）を上位層処理部１０１へ出力する。
【０１０９】
測定部１０５９は、多重分離部１０５５から入力された下りリンク参照信号から、下りリンクのパスロスの測定、チャネル測定、および／または、干渉測定を行う。測定部１０５９は、測定結果に基づいて算出したＣＳＩ、および、測定結果を上位層処理部１０１へ出力する。また、測定部１０５９は、下りリンク参照信号から下りリンクの伝搬路の推定値を算出し、多重分離部１０５５へ出力する。
【０１１０】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１１１】
符号化部１０７１は、上位層処理部１０１から入力された上りリンク制御情報、および、上りリンクデータを符号化する。変調部１０７３は、符号化部１０７１から入力された符号化ビットをＢＰＳＫ、ＱＰＳＫ、１６ＱＡＭ、６４ＱＡＭ、２５６ＱＡＭ等の変調方式で変調する。
【０１１２】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１１３】
多重部１０７５は、ＰＵＳＣＨのスケジューリングに用いられる情報に基づき、空間多重されるＰＵＳＣＨのレイヤーの数を決定し、ＭＩＭＯ空間多重（MIMO SM: Multiple Input Multiple Output Spatial Multiplexing）を用いることにより同一のＰＵＳＣＨで送信される複数の上りリンクデータを、複数のレイヤーにマッピングし、このレイヤーに対してプレコーディング（precoding）を行う。
【０１１４】
多重部１０７５は、制御部１０３から入力された制御信号に従って、ＰＳＣＨの変調シンボルを離散フーリエ変換（Discrete Fourier Transform: DFT）する。また、多重部１
０７５は、ＰＣＣＨとＰＳＣＨの信号と生成した上りリンク参照信号を送信アンテナポート毎に多重する。つまり、多重部１０７５は、ＰＣＣＨとＰＳＣＨの信号と生成した上りリンク参照信号を送信アンテナポート毎にリソースエレメントに配置する。
【０１１５】
無線送信部１０７７は、多重された信号を逆高速フーリエ変換（Inverse Fast Fourier
Transform: IFFT）して、ＳＣ−ＦＤＭ方式の変調を行い、ＳＣ−ＦＤＭ変調されたＳＣ−ＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１１６】
図９は、本実施形態の基地局装置３の構成を示す概略ブロック図である。図示するように、基地局装置３は、上位層処理部３０１、制御部３０３、受信部３０５、送信部３０７
、および、送受信アンテナ３０９、を含んで構成される。また、上位層処理部３０１は、無線リソース制御部３０１１、スケジューリング部３０１３、および、ＣＳＩ報告制御部３０１５を含んで構成される。また、受信部３０５は、復号化部３０５１、復調部３０５３、多重分離部３０５５、無線受信部３０５７と測定部３０５９を含んで構成される。また、送信部３０７は、符号化部３０７１、変調部３０７３、多重部３０７５、無線送信部３０７７と下りリンク参照信号生成部３０７９を含んで構成される。
【０１１７】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行う。また、上位層処理部３０１は、受信部３０５、および送信部３０７の制御を行うために制御情報を生成し、制御部３０３に出力する。
【０１１８】
上位層処理部３０１が備える無線リソース制御部３０１１は、下りリンクのＰＳＣＨに配置される下りリンクデータ（トランスポートブロック）、システムインフォメーション、ＲＲＣメッセージ、ＭＡＣ  ＣＥ（Control Element）などを生成し、又は上位ノード
から取得し、送信部３０７に出力する。また、無線リソース制御部３０１１は、端末装置１各々の各種設定情報の管理をする。
【０１１９】
上位層処理部３０１が備えるスケジューリング部３０１３は、受信したＣＳＩおよび測定部３０５９から入力された伝搬路の推定値やチャネルの品質などから、物理チャネル（ＰＳＣＨ）を割り当てる周波数およびサブフレーム、物理チャネル（ＰＳＣＨ）の伝送符号化率および変調方式および送信電力などを決定する。スケジューリング部３０１３は、スケジューリング結果に基づき、受信部３０５、および送信部３０７の制御を行うために制御情報を生成し、制御部３０３に出力する。スケジューリング部３０１３は、スケジューリング結果に基づき、物理チャネル（ＰＳＣＨ）のスケジューリングに用いられる情報（例えば、ＤＣＩ（フォーマット））を生成する。
【０１２０】
上位層処理部３０１が備えるＣＳＩ報告制御部３０１５は、端末装置１のＣＳＩ報告を制御する。ＣＳＩ報告制御部３０１５は、端末装置１がＣＳＩ参照リソースにおいてＲＩ／ＰＭＩ／ＣＱＩを導き出すために想定する、各種設定を示す情報を、送信部３０７を介して、端末装置１に送信する。
【０１２１】
制御部３０３は、上位層処理部３０１からの制御情報に基づいて、受信部３０５、および送信部３０７の制御を行う制御信号を生成する。制御部３０３は、生成した制御信号を受信部３０５、および送信部３０７に出力して受信部３０５、および送信部３０７の制御を行う。
【０１２２】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、
不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１２３】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数
領域の信号を抽出し多重分離部３０５５に出力する。
【０１２４】
多重分離部１０５５は、無線受信部３０５７から入力された信号をＰＣＣＨ、ＰＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行われる。また、多重分離部３０５５は、測定部３０５９から入力された伝搬路の推定値から、ＰＣＣＨとＰＳＣＨの伝搬路の補償を行う。また、多重分離部３０５５は、分離した上りリンク参照信号を測定部３０５９に出力する。
【０１２５】
復調部３０５３は、ＰＳＣＨを逆離散フーリエ変換（Inverse Discrete Fourier Transform: IDFT）し、変調シンボルを取得し、ＰＣＣＨとＰＳＣＨの変調シンボルそれぞれに対して、ＢＰＳＫ（Binary Phase Shift Keying）、ＱＰＳＫ、１６ＱＡＭ、６４ＱＡＭ
、２５６ＱＡＭ等の予め定められた、または自装置が端末装置１各々に上りリンクグラントで予め通知した変調方式を用いて受信信号の復調を行う。復調部３０５３は、端末装置１各々に上りリンクグラントで予め通知した空間多重される系列の数と、この系列に対して行うプリコーディングを指示する情報に基づいて、ＭＩＭＯ  ＳＭを用いることにより同一のＰＳＣＨで送信された複数の上りリンクデータの変調シンボルを分離する。
【０１２６】
復号化部３０５１は、復調されたＰＣＣＨとＰＳＣＨの符号化ビットを、予め定められた符号化方式の、予め定められた、又は自装置が端末装置１に上りリンクグラントで予め通知した伝送または原符号化率で復号を行い、復号した上りリンクデータと、上りリンク制御情報を上位層処理部１０１へ出力する。ＰＳＣＨが再送信の場合は、復号化部３０５１は、上位層処理部３０１から入力されるＨＡＲＱバッファに保持している符号化ビットと、復調された符号化ビットを用いて復号を行う。測定部３０９は、多重分離部３０５５から入力された上りリンク参照信号から伝搬路の推定値、チャネルの品質などを測定し、多重分離部３０５５および上位層処理部３０１に出力する。
【０１２７】
送信部３０７は、制御部３０３から入力された制御信号に従って、下りリンク参照信号を生成し、上位層処理部３０１から入力された下りリンク制御情報、下りリンクデータを符号化、および変調し、ＰＣＣＨ、ＰＳＣＨ、および下りリンク参照信号を多重または別々の無線リソースで、送受信アンテナ３０９を介して端末装置１に信号を送信する。
【０１２８】
符号化部３０７１は、上位層処理部３０１から入力された下りリンク制御情報、および下りリンクデータを符号化する。変調部３０７３は、符号化部３０７１から入力された符号化ビットをＢＰＳＫ、ＱＰＳＫ、１６ＱＡＭ、６４ＱＡＭ、２５６ＱＡＭ等の変調方式で変調する。
【０１２９】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。
【０１３０】
多重部３０７５は、空間多重されるＰＳＣＨのレイヤーの数に応じて、１つのＰＳＣＨで送信される１つまたは複数の下りリンクデータを、１つまたは複数のレイヤーにマッピングし、該１つまたは複数のレイヤーに対してプレコーディング（precoding）を行う。
多重部３７５は、下りリンク物理チャネルの信号と下りリンク参照信号を送信アンテナポート毎に多重する。多重部３７５は、送信アンテナポート毎に、下りリンク物理チャネルの信号と下りリンク参照信号をリソースエレメントに配置する。
【０１３１】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調された
ＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１３２】
（１）より具体的には、本発明の第１の態様における端末装置１は、基地局装置と通信する端末装置であって、第１の参照信号と、第２の参照信号と、物理上りリンク共有チャネルを送信する送信部と、第１の情報を受信し、物理下りリンク制御チャネルを受信する受信部と、を備え、前記物理上りリンク共有チャネルは、前記下りリンク制御チャネルにより受信された下りリンク制御情報に基づいて送信され、前記第１の参照信号は、前記下りリンク制御情報に基づいて決定されるリソースブロック内の一部リソースエレメントに常に配置され、前記第１の情報は、前記基地局装置によって前記第２の参照信号を送信するか否かを指示される情報であり、前記第２の参照信号は、前記第１の情報に基づいてリソースエレメントにマップされるか否かが決定され、前記第２の参照信号を配置するリソースエレメントの数は、前記下りリンク制御情報に基づいて決定される割り当てられたリソースブロック数に基づいて決定される。
【０１３３】
（２）上記の第１の態様において、前記送信部は、第２の情報を更に送信し、前記第２の情報は、前記位相トラッキング用の参照信号を送信する能力を有するか否か示す情報である。
【０１３４】
（３）上記の第１の態様において、前記第２の参照信号は、予め定義された複数のパターンから選択される。
【０１３５】
（４）上記の第１の態様において、前記第２の参照信号は、前記第２の参照信号は、時間方向と周波数方向でそれぞれ設定される。
【０１３６】
（５）上記の第１の態様において、前記下りリンク制御情報は、前記第２の参照信号のパターンを示す情報が含まれる。
【０１３７】
（６）本発明の第２の態様における基地局装置３は、端末装置と通信する基地局装置であって、物理下りリンク制御チャネルで第１の情報を送信する送信部と、第１の参照信号と、第２の参照信号と、物理上りリンク共有チャネルを受信する受信部と、を備え、前記第１の参照信号は、前記下りリンク制御情報に基づいて決定されるリソースブロック内の一部リソースエレメントに常に配置され、前記第１の情報は、前記端末装置に前記第２の参照信号を送信するか否かを指示する情報であり、前記第２の参照信号は、前記第１の情報に基づいてリソースエレメントにマップされるか否かが決定され、前記第２の参照信号を配置するリソースエレメントの数は、前記下りリンク制御情報に基づいて決定される割り当てられたリソースブロック数に基づいて決定される。
【０１３８】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１３９】
尚、本発明に関わる実施形態の機能を実現するためのプログラムをコンピュータが読み取り可能な記録媒体に記録しても良い。この記録媒体に記録されたプログラムをコンピュ
ータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１４０】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１４１】
なお、本発明に関わる実施形態では、基地局装置と端末装置で構成される通信システムに適用される例を記載したが、Ｄ２Ｄ（Device to Device）のような、端末同士が通信を行うシステムにおいても適用可能である。
【０１４２】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１４３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１４４】
１（１Ａ、１Ｂ、１Ｃ）  端末装置
３  基地局装置
１０  ＴＸＲＵ
１１  位相シフタ
１２  アンテナ
１０１  上位層処理部
１０３  制御部
１０５  受信部
１０７  送信部
１０９  アンテナ
３０１  上位層処理部
３０３  制御部
３０５  受信部
３０７  送信部
１０１３  スケジューリング情報解釈部
１０１５  チャネル状態情報報告制御部
１０５１  復号化部
１０５３  復号部
１０５５  多重分離部
１０５７  無線受信部
１０５９  測定部
１０７１  符号化部
１０７３  変調部
１０７５  多重部
１０７７  無線送信部
１０７９  上りリンク参照信号生成部
３０１１  無線リソース制御部
３０１３  スケジューリング部
３０１５  チャネル状態情報報告制御部
３０５１  復号化部
３０５３  復号部
３０５５  多重分離部
３０５７  無線受信部
３０５９  測定部
３０７１  符号化部
３０７３  変調部
３０７５  多重部
３０７７  無線送信部
３０７９  下りリンク参照信号生成部
【図１】
2020057827.tif 000003
【図２】
2020057827.tif 000004
【図３】
2020057827.tif 000005
【図４】
2020057827.tif 000006
【図５】
2020057827.tif 000007
【図６】
2020057827.tif 000008
【図７】
2020057827.tif 000009
【図８】
2020057827.tif 000010
【図９】
2020057827.tif 000011
【図１０】
2020057827.tif 000012
【図１１】
2020057827.tif 000013
【図１２】
2020057827.tif 000014